(57)【要約】【課題】  組立家屋は、所定の大きさの規格型とすることにより、各種部材を大量生産することができコストをかなり低くすることができるものの、一般的には用途や家族数などに応じて種々の大きさや間取りに構築しなければならず、その大きさに応じた部材を調達する必要が生じる。【解決手段】  両端に断面正方形のホゾを備え少なくとも対向する２つの周面長手方向に欠込みを設けた柱と、該柱のホゾを挿通する正方形の貫通するホゾ穴を等間隔に設けると共に両端を該ホゾ穴の一対角線に沿って切り落とした平面視台形の梁と、立設した該柱間の欠込みに落とし込む壁材、該柱の上下に組んだ該梁に貼り付ける床材及び天井材とするさね矧ぎ接合の板材と、によって構成したものであって、該梁は、両側面の長手方向に該ホゾ穴に至る深さのスリットをほぼ中央部に設ける。【選択図】        図１
2012241482.tif 000002
【特許請求の範囲】
【請求項１】
両端に断面正方形のホゾを備え少なくとも対向する２つの周面長手方向に欠込みを設けた柱と、該柱のホゾを挿通する正方形の貫通するホゾ穴を等間隔に設けると共に両端を該ホゾ穴の一対角線に沿って切り落とした平面視台形の梁と、立設した該柱間の欠込みに落とし込む壁材、該柱の上下に組んだ該梁に貼り付ける床材及び天井材とするさね矧ぎ接合の板材と、によって構成したものであって、該梁は、両側面の長手方向に該ホゾ穴に至る深さのスリットをほぼ中央部に設けたことを特徴とする組立家屋。
【請求項２】
天井材は、防水シートで覆う請求項１記載の組立家屋。
【請求項３】
天井材の上面側に、板材で形成した屋根を設けた請求項１又は２記載の組立家屋。
【請求項４】
両端に断面正方形のホゾを備え少なくとも対向する２つの周面長手方向に欠込みを設けた柱と、該柱のホゾを挿通する正方形の貫通するホゾ穴を等間隔に設けると共に両端を該ホゾ穴の一対角線に沿って切り落とした平面視台形であり且つ両側面の長手方向中央部に該ホゾ穴に至る深さのスリットを設けた梁と、立設した該柱間の欠込みに落とし込む壁材、該柱の上下に組んだ該梁に貼り付ける床材及び天井材とするさね矧ぎ接合の板材と、を主要構成部材とした家屋の組立方法であって、ホゾ穴の中心から周方向に隣り合うホゾ穴の頂点に向かって２ヶ所をスリットに至るまで鋸で切り落とし、周面に切欠を設けた梁に対し、端部をホゾ穴の他の対角線に沿って鋸で切り落として該ホゾ穴の一面を残した突条にすると共に該突条のスリットに至る下半分を鋸で切り落として係止突条部を形成した他の梁を係合させて組み立てることを特徴とする組立家屋の組立方法。
【発明の詳細な説明】
【技術分野】
【０００１】
本発明は、現地で少ない構成部材により任意の大きさに組み立てることを目的とした組立家屋及びその組立方法に関する。本発明に係る組立家屋としては、一般住居用家屋の他、仮設住宅、勉強部屋、作業部屋、物置、車庫などに供し、これらの連棟を構成する場合も含む。
【背景技術】
【０００２】
従来の組立家屋としては、骨組みとして軽量鉄骨を用い、合板等で壁面を形成する構造が一般的であり、仮設住宅などに広く利用されている。また、特許文献１に示すようにプレカットした木材で構造体を構築する方法がある。
【先行技術文献】
【特許文献】
【０００３】
【特許文献１】特開２００９−１３６２４
【発明の概要】
【発明が解決しようとする課題】
【０００４】
組立家屋は、所定の大きさの規格型とすることにより、各種部材を大量生産することができコストをかなり低くすることができる。しかしながら、一般的には用途や家族数などに応じて種々の大きさや間取りに構築しなければならず、その大きさに応じた部材を調達する必要が生じる。
【０００５】
一般的なプレハブ住宅おいても、規格化することによってコスト低減を図っているが、単一の規格型だけでは需要に対応できないため、複数の規格型を提案しているのが実情である。
【０００６】
このため、規格型とした場合であっても、単一の場合と複数の場合では、共有できる部材があるものの、複数の規格型に対応するためには製造コスト、輸送コスト、保管コスト、管理コストなどに大きく影響する。
【課題を解決するための手段】
【０００７】
そこで本発明者は上記問題に鑑み鋭意研究の結果、本発明を成し得たものであり、その特徴とするところは、両端に断面正方形のホゾを備え少なくとも対向する２つの周面長手方向に欠込みを設けた柱と、該柱のホゾを挿通する正方形の貫通するホゾ穴を等間隔に設けると共に両端を該ホゾ穴の一対角線に沿って切り落とした平面視台形の梁と、立設した該柱間の欠込みに落とし込む壁材、該柱の上下に組んだ該梁に貼り付ける床材及び天井材とするさね矧ぎ接合の板材と、によって構成したものであって、該梁は、両側面の長手方向に該ホゾ穴に至る深さのスリットをほぼ中央部に設けたことにある。
【０００８】
また、方法の発明にあっては、両端に断面正方形のホゾを備え少なくとも対向する２つの周面長手方向に欠込みを設けた柱と、該柱のホゾを挿通する正方形の貫通するホゾ穴を等間隔に設けると共に両端を該ホゾ穴の一対角線に沿って切り落とした平面視台形であり且つ両側面の長手方向中央部に該ホゾ穴に至る深さのスリットを設けた梁と、立設した該柱間の欠込みに落とし込む壁材、該柱の上下に組んだ該梁に貼り付ける床材及び天井材とするさね矧ぎ接合の板材と、を主要構成部材とした家屋の組立方法であって、ホゾ穴の中心から周方向に隣り合うホゾ穴の頂点に向かって２ヶ所をスリットに至るまで鋸で切り落とし、周面に切欠を設けた梁に対し、端部をホゾ穴の他の対角線に沿って鋸で切り落として該ホゾ穴の一面を残した突条にすると共に該突条のスリットに至る下半分を鋸で切り落として係止突条部を形成した他の梁を係合させて組み立てることにある。
【０００９】
ここで、本明細書中でいう「柱」とは、組立家屋の壁面や間仕切りを構成するもので、天井や屋根を支持する部材をいう。本発明おける柱としては、両端に断面正方形のホゾを備え、対向する周面の長手方向に欠込みを設けた構造である。ホゾは、床面及び天井面を形成するための梁に設けた正方形のホゾ穴に挿通させるものである。また、欠込みは壁材とするさね矧ぎ接合の板材を嵌め込むためのものである。柱は、壁面の他間仕切りや集合住宅として連棟する場合にも利用することがあるため、欠込みは４面全てに設けることで汎用性を高めることができる。
【００１０】
「梁」とは、組立家屋の床面や天井面を構成するためのもので、柱のホゾを挿通するための正方形の貫通するホゾ穴を等間隔に設けると共に両端を該ホゾ穴の一対角線に沿って切り落とした平面視台形の部材をいう。本発明では、この梁の両側面長手方向にホゾ穴に至る深さのスリットをほぼ中央部に設けている。梁は、床材及び天井材として板材を貼り付けるものであり、格子状に組み合わせる。スリットを設けたことで、直交させたり直線状に連結するときの連結部を鋸で切断するだけで極めて容易に形成することができる。
【００１１】
「板材」とは、壁材及び床材や天井材を構成する部材をいう。本発明では、この板材をさね矧ぎとし、立設した柱間の欠込みに落とし込んで壁を形成する。そして、柱の上下に格子状に組んだ梁に、この板材を貼り付けて床材や天井材とする。天井については、防水シートで覆ったり、防水塗料を塗布するなどの方法で雨対策を施す。また、屋根を板材で形成して天井に設置するようにしてもよい。
柱、梁、板材は、杉、桧などの木材やこれらの間伐材を加工したものである。
【発明の効果】
【００１２】
本発明に係る組立家屋及びその組立方法は、構造体の主要構成部材として、両端に断面正方形のホゾを備え少なくとも対向する２つの周面長手方向に欠込みを設けた柱、該柱のホゾを挿通する正方形の貫通するホゾ穴を等間隔に設けると共に両端を該ホゾ穴の一対角線に沿って切り落とした平面視台形であり且つ両側面の長手方向中央部に該ホゾ穴に至る深さのスリットを設けた梁、立設した該柱間の欠込みに落とし込む壁材、該柱の上下に組んだ該梁に貼り付ける床材及び天井材とするさね矧ぎ接合の板材、の３種の部材だけで、種々の大きさや形態の家屋を構築することが可能となる。
【００１３】
現場での作業は、全て同じ大きさの柱、梁、板材の３種の部材を、鋸挽きとビスや釘打ちするだけで組み立てることができる。特に、仮設住宅など現場で大量にしかも種々の大きさに建築する場合に極めて有効であり、作業性のみならず、管理も容易であり輸送コストなども大きく低減することができる。
【図面の簡単な説明】
【００１４】
【図１】本発明に係る組立家屋の一実施例を示す正面図である。（実施例１）
【図２】本発明に係る組立家屋の主要構成部材である柱の斜視図である。
【図３】本発明に係る組立家屋の主要構成部材である梁の斜視図である。
【図４】本発明に係る組立家屋の主要構成部材である板材の斜視図である。
【図５】本発明に係る組立家屋を構築するための基礎杭の施工例であり、（ａ）は斜視図、（ｂ）は側面図である。
【図６】本発明に係る組立家屋の施工例であり、土台として梁を敷き込む状態を示す斜視図である。
【図７】（ａ）（ｂ）（ｃ）（ｄ）はそれぞれ梁の接合状態を示す斜視図である。
【図８】（ａ）は図６に示した土台としての梁に柱を建てた状態を示す斜視図、（ｂ）は柱と梁の補強例を示す斜視図である。
【図９】柱の立ち（垂直）を確認する状態を示す斜視図である。
【図１０】柱を固定するために仮筋交で仮止めした状態を示す斜視図である。
【図１１】柱間に板材を落とし込んで壁面や間仕切りを形成した状態を示す斜視図である。
【図１２】柱間の開口部に引違い戸や窓を取り付けた状態を示す斜視図である。
【図１３】（ａ）は板材で窓枠を製作した一例を示す部分正面図、（ｂ）は建具の一例を示す部分正面図である。
【図１４】柱の頂部に梁を取り付けた状態を示す斜視図である。
【図１５】床面を施工する状態を示す斜視図である。
【図１６】天井面を施工する状態を示す斜視図である。
【図１７】（ａ）は天井面を防水シートで覆った状態を示す斜視図、（ｂ）は防水シートを固定する例を示す部分斜視図である。（実施例２）
【図１８】（ａ）は屋根を設けるために天井面に母屋を取り付ける例を示す斜視図、（ｂ）は母屋を連結する例を示す正面図である。（実施例３）
【図１９】母屋に垂木を取り付ける例を示す斜視図である。
【図２０】垂木に屋根材を取り付けた例を示す斜視図である。
【図２１】図１に示した組立家屋の間取りを示す平面図である。
【図２２】（ａ）（ｂ）は本発明に係る組立家屋の間取りの他の例を示す平面図である。（実施例４）
【発明を実施するための形態】
【００１５】
本発明は、構造体の主要構成部材として、両端に断面正方形のホゾを備え少なくとも対向する２つの周面長手方向に欠込みを設けた柱と、該柱のホゾを挿通する正方形の貫通するホゾ穴を等間隔に設けると共に両端を該ホゾ穴の一対角線に沿って切り落とした平面視台形であり且つ両側面の長手方向中央部に該ホゾ穴に至る深さのスリットを設けた梁と、立設した該柱間の欠込みに落とし込む壁材、該柱の上下に組んだ該梁に貼り付ける床材及び天井材とするさね矧ぎ接合の板材と、の３種で構成したことにより、上述した課題を解決した。
【実施例１】
【００１６】
図１は、本発明に係る組立家屋１の一実施例を示すもので、柱２、梁３、板材４の３種を主要構成部材として構築したものである。本例の組立家屋１は、５４００四方の大きさであり、敷地Ａに基礎杭Ｂを打ち込み、この上に構築する例を示しているが、布基礎やべた基礎など特に限定するものではない。
【００１７】
主要構成部材としての柱２は、図２に示すように断面正方形で、両端にホゾ２１を設け、各周面の長手方向に欠込み２２を設けた構造である。本例の柱２は、（単位mm、以下同じ）１０５角、長さ２７００。ホゾ２１は２８角、高さ３０、欠込み２２は幅３２、深さ１５である。
【００１８】
梁３は図３に示すように、柱２のホゾ２１を挿通させる貫通した正方形のホゾ穴３１を等間隔に設け、両端をホゾ穴３１の一対角線に沿って切り落とした平面視等脚台形の部材である。そして、両側面の長手方向中央部にホゾ穴３１に至る深さのスリット３２を設けている。本例の梁３は、１０５角、台形として上底が２５９５、下底が２８０５であり、３０角のホゾ穴３１を９００間隔で設けている。また、スリット３２は幅２でホゾ穴３１に至る深さ３７．５である。
【００１９】
板材４は図４に示すように、一方の側部にさね（実）４１、他方の側部に溝４２を設けたさね矧ぎ接合の板である。本例の板材４は、長さ３０００、幅１０５であり、さね４１は幅８、高さ５、溝４２は幅１０、深さ１０である。
【００２０】
これらの主要構成部材で組立家屋１を構築する場合の施工手順を以下に説明する。
先ず、図５（ａ）のように基礎杭Ｂを構築する敷地Ａに打ち込む。傾斜地では同図（ｂ）のように基礎杭Ｂの長さを調節することで、各基礎杭Ｂの天端高さを水平に揃える。
【００２１】
そして、基礎杭Ｂ上に床面を形成するための梁３を格子状に組む（図６）。梁３は、かすがいなどで基礎杭Ｂに固定する。梁３同士の接合はホゾ穴３１の位置で行なう。図中の矢印は、図７に示したＬ型金具３３で固定する箇所である。
梁３同士の接合部において、コーナー部は斜めにカットした梁３の端部同士の面接合である［図７（ａ）］。Ｔ字や十字の接合は、同図（ｂ）（ｃ）のようにホゾ穴３１の中心から周方向に隣り合うホゾ穴３１の頂点に向かう２ヶ所を、スリット３２に至るまで鋸で切り落として、周面に切欠３４を設ける。該切欠３４に接合させる梁３は、ホゾ穴３１の一対角線に沿って斜めに切り落とした端部を、ホゾ穴３１の他の対角線に沿って鋸で切り落として、該ホゾ穴の一面を残した突条にすると共に該突条のスリットに至る下半分を鋸で切り落として係止突条部３５を形成してかみ合わせる。
【００２２】
また、梁３を直線状に連結（継ぎ足し）する場合は、同図（ｄ）のようにホゾ穴３１の一対角線に沿って斜めに切り落とした端部を、ホゾ穴３１の他の対角線に沿ってスリット３２に至る半分を鋸で切り落とすことで、これらを相互に連結する。
このように、梁３にスリット３２を設けたことにより、鋸による切断だけで極めて簡単に接合部を形成することができ、作業効率が極めて高くなり、工費も大幅に少なくすることができる。
【００２３】
次に、基礎杭Ｂ上に格子状に組んだ梁３のホゾ穴３１にホゾ２１を挿通して柱２を建てる［図８（ａ）］。梁３と柱２は、同図（ｂ）のように板材４を３００程度に切断してビスなどで固定するのが好ましい。柱２を建てた後は、図９のように柱２の頂部に梁３を載せることで、柱２の立ち（垂直）を確認する。柱２の立ちを確認した後、図１０のように仮筋交２３で全ての柱２を仮止めしてから、頂部に載せた梁３を外す。
【００２４】
柱２を仮筋交２３で仮止めした状態で、柱２間の欠込み２２に板材４を落とし込んで壁面及び間仕切りを形成する（図１１）。本例では、出入り口や窓などを設ける部分を開けて板材４を嵌め込んでいる。板材４は適宜ビスなどで柱２に固定しておく。このようにして柱２が固定できれば、仮筋交２３を外す。
柱２間の欠込み２２に対しては、板材４を斜めにして嵌め込むようにしてもよい。この方法では、柱２の頂部に梁３を載せた状態で板材４を嵌め込んで柱２を固定できるため、仮筋交２３による柱２の仮止め作業は省略できる。
【００２５】
開口部には、扉や窓のサッシを取り付けるが、図１２に示すように板材４を利用して引違い戸４３や窓４４を作って嵌め込んでもよい。窓４４としては、例えば図１３（ａ）のように板材４をカットして幅１６９３、高さ９４９の窓枠４５を作り、板材４を積んで木口に角材を打ち付けた建具４６［同図（ｂ）］を取り付ける。
【００２６】
開口部には、扉や窓を取り付けた後は、各柱２間の頂部まで板材４を落とし込んで、柱２の頂部に天井面を形成するための梁３を取り付ける（図１４）。梁３の接合や柱２との固定は、床面の場合と同じようにＬ型金具３３などで固定する。
【００２７】
床面４７は、図１５のように板材４を敷き詰めて形成する。板材４は梁３に強固に固定することで床組みの剛性を高めることができる。また、天井面４８も同様に板材４を敷き詰めて形成する（図１６）。
【実施例２】
【００２８】
本発明に係る組立家屋１としては、基本的にこれで完成であるが、雨対策として防水塗料を塗布したり、図１７（ａ）のように天井面４８に防水シート５を被せる。防水シート５は、適宜板材４で押さえ込み周囲は板材４で固定し［同図（ｂ）］、はみ出した部分をカッターでカットする。
【実施例３】
【００２９】
組立家屋１に屋根６を設ける場合、図１８（ａ）のように母屋６１を取り付ける。この母屋６１は柱２を利用したもので、勾配をつけるために積み重ねる段数を変えている。柱２同士は、同図（ｂ）のように欠込み２２を利用して雇い実６２で連結している。
【００３０】
次に、母屋６１に板材４を利用した垂木６３を約６００程度のピッチで固定し（図１９）、この垂木６３に板材４を貼り付けて屋根材６４とし、図１に示した組立家屋１が完成する（図２０）。内部は、図２１のように２ＤＫに構成され、流し台や便器などの機器を設置する。
【実施例４】
【００３１】
本発明に係る組立家屋１は、主要構成部材として同じ寸法の柱２、梁３、板材４の３種によって、図２２のように種々の大きさや形態の家屋を構築することができる。
例えば、同図（ａ）の４ＤＫ（幅５４００、奥行き８１００）や同図（ｂ）の連棟タイプも容易に構築することができる。
【符号の説明】
【００３２】
Ａ  敷地
Ｂ  基礎杭
１  組立家屋
２  柱
２１  ホゾ
２２  欠込み
２３  仮筋交
３  梁
３１  ホゾ穴
３２  スリット
３３  Ｌ型金具
３４  切欠
３５  係止突条部
４  板材
４１  さね
４２  溝
４３  引違い戸
４４  窓
４５  窓枠
４６  建具
４７  床面
４８  天井面
５  防水シート
６  屋根
６１  母屋
６２  雇い実
６３  垂木
６４  屋根材
【図１】
2012241482.tif 000003
【図２】
2012241482.tif 000004
【図３】
2012241482.tif 000005
【図４】
2012241482.tif 000006
【図５】
2012241482.tif 000007
【図６】
2012241482.tif 000008
【図７】
2012241482.tif 000009
【図８】
2012241482.tif 000010
【図９】
2012241482.tif 000011
【図１０】
2012241482.tif 000012
【図１１】
2012241482.tif 000013
【図１２】
2012241482.tif 000014
【図１３】
2012241482.tif 000015
【図１４】
2012241482.tif 000016
【図１５】
2012241482.tif 000017
【図１６】
2012241482.tif 000018
【図１７】
2012241482.tif 000019
【図１８】
2012241482.tif 000020
【図１９】
2012241482.tif 000021
【図２０】
2012241482.tif 000022
【図２１】
2012241482.tif 000023
【図２２】
2012241482.tif 000024